(57)【要約】【課題】箱胴部形成部と緩衝体形成部とを備えたブランクを巻き折り状に折り曲げて箱胴部の内側に緩衝体が設けられている包装箱において、緩衝体にて箱胴部の長手方向でも緩衝が行なえるようにし、発泡スチロールや空気バッグなどの別部品の緩衝体を利用せずに収納物を安全に保護できる包装箱を提供する。【解決手段】緩衝体５における箱胴部２の長手方向で相対する端部それぞれを箱胴部２の長手方向に直交する方向に曲げ起こして端部緩衝板２１が設けられ、端部緩衝板２１と箱本体４における箱胴部２の長手方向に相対する端部閉鎖部３との間に緩衝用の隙間３１を形成した。【選択図】図５
2016060500.tif 000002
【特許請求の範囲】
【請求項１】
上面板と背面板と底面板と正面板とが箱胴部回りの方向に連続して箱胴部を横長の角筒状とした箱本体と、前記上面板に対応する上面緩衝板と背面板に対応する背面緩衝板と底面板に対応する底面緩衝板とが箱胴部回りの方向に連続していて、前記箱本体の内側に箱胴部回りの方向に折り曲げられて配置され、前記折り曲げの部分で箱本体側に凸となって箱胴部に当接する凸部を備え、この凸部が箱胴部に当接して箱本体との間に緩衝用の隙間を形成している緩衝体とからなる段ボール製の箱であって、
前記上面板と背面板と底面板と正面板とが並び設けられた箱胴部形成部と前記上面緩衝板と背面緩衝板と底面緩衝板とが並び設けられた緩衝体形成部とを備えるブランクを、前記緩衝体形成部から箱胴部形成部にかけて巻き折り状に折り曲げて、前記緩衝体とこの緩衝体を囲む箱胴部が形成されている包装箱において、
前記緩衝体における箱胴部の長手方向で相対する端部それぞれを前記箱胴部の長手方向に直交する方向に曲げ起こして端部緩衝板が設けられ、前記端部緩衝板と箱本体における箱胴部の長手方向に相対する端部閉鎖部との間に緩衝用の隙間を形成したことを特徴とする包装箱。
【請求項２】
上記緩衝体には、上記正面板と相対してこの正面板との間に緩衝用の隙間を形成する正面緩衝小板と、上記上面板と相対してこの上面板との間に緩衝用の隙間を形成する上面緩衝小板とからなる延設緩衝板が、緩衝体自体の一部分を切り起こして設けられていて、
上面緩衝板と背面緩衝板と底面緩衝板とからなる緩衝体の本体部分と前記延設緩衝板とが収納物回りを廻るようにして収納物を囲んでいる請求項１に記載の包装袋。
【請求項３】
上記上面緩衝板には、上記正面板と上記上面緩衝板との間の折り部の中央にしてミシン目からなる中央分離線が穿設されているとともに、中央分離線端部それぞれから上記背面緩衝板側に傾斜して上面緩衝板の端部に亘るミシン目からなる傾斜分離線が穿設されて、前記上面緩衝板に重ね合わされている上面板が、上面緩衝板の長手方向での前記傾斜分離線の間の部分に貼着され、
上面板を引き起こしたときに上面緩衝板での上面板に対する前記貼着部分が上面板と共に引き起こされ、前記緩衝体が、前記中央分離線と傾斜分離線とに沿った位置で箱本体から分断されて、上面板の引き起こしにより箱胴部に形成された開放部分を通して収納物が取り出し可能となる構成としている請求項１または２に記載の包装箱。
【請求項４】
上記上面板には、上記傾斜分離線に交差する位置を切り込んで係止部が設けられていて、前記係止部を箱本体内に向けて押し込んだときに、緩衝体の箱本体からの上記分断で上記傾斜分離線の分断縁を一辺として形成される上面緩衝板残存片に前記係止部が係止して、上面板の閉鎖状態が維持される請求項３に記載の包装箱。
【発明の詳細な説明】
【技術分野】
【０００１】
本発明は、包装箱、特にトナーカートリッジの形状に代表されるような横長の物品を収め入れることができて、その物品を保護するための緩衝機能を備えるようにした包装箱に関するものである。
【背景技術】
【０００２】
従来からパーソナルレーザープリンタのトナーカートリッジについては段ボール製の包装箱に収め入れて保管したり持ち運んだりしている。そして、その保管作業の取り扱いや持ち運びなどで衝撃が加わったときに内側のカートリッジに衝撃が伝わり難くして保護するために緩衝体とともに箱入れされている。
【０００３】
このように包装箱に収め入れた収納物を保護するため、空気を封入したバッグを緩衝体としてこれを収納物と包装箱との隙間に詰めたり、空気を封入した膨出部を複数有するシートにて収納物を包んでこの状態で箱入れるようにしており、発泡スチロールからなる緩衝体に代えて使用されている。
【０００４】
近年では空気入りバッグや収納物を包み込む空気入りシートなどの空気袋タイプの緩衝体に関しても、上述したトナーカートリッジなどのように同一形状の製品を個別に包装箱に入れて数多く流通させる場合では、出荷者側では包装箱に製品を収め入れるときに上記緩衝体を多量に用意しておく必要がある。
【０００５】
また、商品を購入した消費者側においても、包装箱から収納物を取り出した後に段ボール製である包装箱と樹脂製品である緩衝体とを分別して処理する必要があり、この点が問題視されるようにもなってきている。
【０００６】
上記別個の緩衝体を伴って収納物を包装箱に収め入れる包装形態に対し、段ボール製の包装箱を組み起こすことで内部に緩衝体を備えるようにすべく、箱本体を構成する部分と緩衝体を構成する部分とを一体に備えるブランクを用い、そのブランクを緩衝体を構成する部分側から巻き折り状に折り曲げて箱本体の内部に折り曲げられた緩衝体が位置する包装箱を組み起こし、一部を未封じとして開放している挿入箇所から緩衝体に囲まれるようにして製品を挿入配置し、その後に前記挿入箇所を閉じる包装形態が提案されている。
【０００７】
例えば特許文献１、２に示されている技術では、箱本体の箱胴部を形成する複数面の面板が連続している箱胴部形成部と、箱本体内に位置させる緩衝体を形成する複数面の面板が連続している緩衝体形成部とを一体に備えるブランクを用い、前記ブランクの緩衝体形成部の部分を巻き折り状に折り曲げて緩衝体を組み、さらに続けてこの緩衝体を囲むようにして箱胴部形成部を巻き折り状に折り曲げて箱本体の箱胴部を組んでいる。
【０００８】
そして、緩衝体については、折り曲げの部分から箱胴部に向けて凸となってその箱胴部に当接する凸部を備えていて、この凸部が箱胴部に当接することにより箱本体との間に緩衝用の隙間を形成するようにしたものである。
【先行技術文献】
【特許文献】
【０００９】
【特許文献１】実願昭５８−１０３６６３号のマイクロフィルム
【特許文献２】実開平０６−０５３４２５号公報
【発明の概要】
【発明が解決しようとする課題】
【００１０】
上述したように特許文献１、２に示された技術では、箱胴部形成部と緩衝体形成部とを備えるブランクを緩衝体形成部の端部側から巻き折り状に折り曲げて緩衝体が先に組み起こされ、その後にこの緩衝体を囲むようにして箱本体が組み起こされていて、これによって箱胴部の内側で緩衝体が一体に得られるようにしている。そのため製品の生産者側では緩衝体を別個に用意する必要がなく、また製品購入者側でも収納箱の処分に際して箱本体と緩衝体とを分別する手間が解消される。
【００１１】
しかしながら、特許文献１、２に示された包装箱では箱胴部の長手方向（箱胴部回りの方向が横である場合には上面側と底面側であり、箱胴部回りの方向が縦である場合には左右側面側）には緩衝体が存在せずに箱本体のフラップが重ね合わせされている部分が存在するのみであるため、箱胴部の長手方向に加わる振動や衝撃に対して緩衝作用が乏しいという問題があった。
【００１２】
そこで本発明は上記事情に鑑みて、箱胴部形成部と緩衝体形成部とを備えたブランクを上述のように巻き折り状に折り曲げて箱胴部の内側に緩衝体が設けられている包装箱において、緩衝体にて箱胴部の長手方向でも緩衝が行なえるようにすることを課題とし、発泡スチロールや空気バッグなどの別部品の緩衝体を利用せずに収納物を安全に保護できる包装箱を提供することを目的とするものである。
【課題を解決するための手段】
【００１３】
（請求項１の発明）
本発明は、上面板と背面板と底面板と正面板とが箱胴部回りの方向に連続して箱胴部を横長の角筒状とした箱本体と、前記上面板に対応する上面緩衝板と背面板に対応する背面緩衝板と底面板に対応する底面緩衝板とが箱胴部回りの方向に連続していて、前記箱本体の内側に箱胴部回りの方向に折り曲げられて配置され、前記折り曲げの部分で箱本体側に凸となって箱胴部に当接する凸部を備え、この凸部が箱胴部に当接して箱本体との間に緩衝用の隙間を形成している緩衝体とからなる段ボール製の箱であって、
前記上面板と背面板と底面板と正面板とが並び設けられた箱胴部形成部と前記上面緩衝板と背面緩衝板と底面緩衝板とが並び設けられた緩衝体形成部とを備えるブランクを、前記緩衝体形成部から箱胴部形成部にかけて巻き折り状に折り曲げて、前記緩衝体とこの緩衝体を囲む箱胴部が形成されている包装箱において、
前記緩衝体における箱胴部の長手方向で相対する端部それぞれを前記箱胴部の長手方向に直交する方向に曲げ起こして端部緩衝板が設けられ、前記端部緩衝板と箱本体における箱胴部の長手方向に相対する端部閉鎖部との間に緩衝用の隙間を形成したことを特徴とする包装箱を提供して、上記課題を解消するものである。
【００１４】
（請求項２の発明）
また、本発明において、上記緩衝体には、上記正面板と相対してこの正面板との間に緩衝用の隙間を形成する正面緩衝小板と、上記上面板と相対してこの上面板との間に緩衝用の隙間を形成する上面緩衝小板とからなる延設緩衝板が、緩衝体自体の一部分を切り起こして設けられていて、
上面緩衝板と背面緩衝板と底面緩衝板とからなる緩衝体の本体部分と前記延設緩衝板とが収納物回りを廻るようにして収納物を囲んでいることが良好である。
【００１５】
（請求項３の発明）
また、本発明において、上記上面緩衝板には、上記正面板と上記上面緩衝板との間の折り部の中央にしてミシン目からなる中央分離線が穿設されているとともに、中央分離線端部それぞれから上記背面緩衝板側に傾斜して上面緩衝板の端部に亘るミシン目からなる傾斜分離線が穿設されて、前記上面緩衝板に重ね合わされている上面板が、上面緩衝板の長手方向での前記傾斜分離線の間の部分に貼着され、
上面板を引き起こしたときに上面緩衝板での上面板に対する前記貼着部分が上面板と共に引き起こされ、前記緩衝体が、前記中央分離線と傾斜分離線とに沿った位置で箱本体から分断されて、上面板の引き起こしにより箱胴部に形成された開放部分を通して収納物が取り出し可能となる構成とすることが良好である。
【００１６】
（請求項４の発明）
また、本発明において、上記上面板には、上記傾斜分離線に交差する位置を切り込んで係止部が設けられていて、前記係止部を箱本体内に向けて押し込んだときに、緩衝体の箱本体からの上記分断で上記傾斜分離線の分断縁を一辺として形成される上面緩衝板残存片に前記係止部が係止して、上面板の閉鎖状態が維持される構成とすることが良好である。
【発明の効果】
【００１７】
（請求項１の発明の効果）
請求項１の発明によれば、箱胴部内にその箱胴部回りに廻るように緩衝体が設けられているとともに、その箱胴部内での端部閉鎖部側それぞれに前記緩衝体の一部分を折り起こしてなる端部緩衝板が設けられているので、収納物に対する緩衝を箱胴部の長手方向でも簡単に図ることができて、収納物を安全に収納できるものとなる。
【００１８】
（請求項２の発明の効果）
請求項２の発明によれば、緩衝体に、正面緩衝小板と上面緩衝小板とからなる延設緩衝板が設けられているので、緩衝体形成部の巻き折りの方向での大きさを大きくしなくとも前記正面緩衝小板と上面緩衝小板とを利用しながら収納物を囲むことができ、緩衝体形成部の形状を小さくして素材のコストを低減できる効果がある。
【００１９】
（請求項３の発明の効果）
請求項３の発明によれば、箱胴部における上面板を引き起こすことで、その上面板が位置していた部分での緩衝体が分断され、上面板を引き起こししてなる開放部分を通して収納物が取り出しできるようにしているので、従来のような箱本体における端部閉鎖部を構成しているフラップを開いてから収納物を箱胴部の長手方向に沿った方向にして収納物を引き出すという手間を要せずに、その収納物を簡単に取り出すことができるという優れた効果を奏する。
【００２０】
（請求項４の発明の効果）
請求項４の発明によれば、一旦開いた上面板を閉じてその閉鎖状態を維持できるように設けられているので、例えば、使用済みの物品を収納することで包装箱を保管用の箱として再利用することができる。
【図面の簡単な説明】
【００２１】
【図１】本発明の係る包装箱の実施の一例を斜め上方から見た状態で示す説明図である。
【図２】一例における緩衝体を断面で示すもので、図１Ａ−Ａ線に沿った断面を示す説明図である。
【図３】一例のブランクを示す説明図である。
【図４】箱本体内の緩衝体を示す説明図である。
【図５】同じく箱本体内の緩衝体を示すもので、上面緩衝板を除いた状態で示す説明図である。
【図６】緩衝体の巻き折り状に折り曲げをした状態を示す説明図である。
【図７】上面板を引き上げて開封した状態を示す説明図である。
【図８】再封した状態を示す説明図である。
【図９】他の実施の例における緩衝体をブランクの状態で示す説明図である。
【発明を実施するための形態】
【００２２】
つぎに本発明を図１から図９に示す実施の形態に基づいて詳細に説明する。図中１は一枚のブランクを組み起こしてなる包装箱であり、横長の角筒状とした箱胴部２の両端が端部閉鎖部３として閉じられた箱本体４の内部に緩衝体５が配置され、さらにその緩衝体５に囲まれるようにして収納物６を箱本体４の内部に収納した箱であって、この包装箱１の包材を前記収納物６が巻き込まれるようにしながら巻き折り状に折り曲げて、前記端部閉鎖部３も形成するようにしながら組み起こすことで得られているものである。図１、２参照
【００２３】
（箱胴部形成部）
包装箱１は箱本体４と緩衝体５とが一体となっていて、この包装箱１を組み起こすためのブランク７を図３に示している。図示されているようにブランク７は箱本体形成部８と緩衝体形成部９とを備えている。前記箱本体形成部８には、箱胴部回りの方向に上面板１０と背面板１１と底面板１２と正面板１３とが折り部１４を介して並んで連続する箱胴部形成部１５があり、また各面板１０、１１、１２、１３での連続方向と直交する方向で相対する側辺の部分には端部閉鎖部３を構成するための面板が連続しており、上面板１０と底面板１２とには内フラップ１６が折り部１４を介して連続し、背面板１１と正面板１３とには外フラップ１７が折り部１４を介して連続している。
【００２４】
（緩衝体形成部）
緩衝体形成部９は上面緩衝板１８と背面緩衝板１９と底面緩衝板２０とを折り部１４を介して並べ設けてなるものである。そして、上記正面板１３の底面板１２とは反対側に折り部１４を介して上記上面緩衝板１８が連続しており、底面緩衝板２０側から巻き折り状にして折り曲げていくことで上面緩衝板１８と背面緩衝板１９と底面緩衝板２０とで断面略コ字状に折り曲げられて横長とされた緩衝体５が形成される。図４、図５参照
【００２５】
さらに折り曲げられた状態の上記緩衝体５を箱胴部形成部１５で巻き込むように巻き折りを進めて、箱胴部形成部１５の巻き折りの最終部分である上面板１０と上面緩衝板１８の後述する一部分とを貼り合わせて、緩衝体５を囲んで内側に位置させた角筒状の箱胴部２が形成される。図２参照
【００２６】
また端部閉鎖部３それぞれでは、箱胴部形成部１５の上記内フラップ１６それぞれを折り倒してから、その内フラップ１６に重なるようにして正面板１３に連続の外フラップ１７を折り倒すようにしており、さらにその正面板１３に連続の前記外フラップ１７に重なるようにして背面板１１に連続の外フラップ１７を折り倒して貼着することで、この端部閉鎖部３が形成され、横長の角柱状とした箱本体４が得られる。
【００２７】
ブランク７の状態で示すように緩衝体形成部９の背面緩衝板１９の長手方向（箱胴部や緩衝体の長手方向）での両端には、背面緩衝板１９の長手方向と直交する方向にこの背面緩衝板１９の端部を折り起こすことができるようにしてなる端部緩衝板２１が折り部１４を介して連続している。また、上面緩衝板１８と底面緩衝板２０の端部それぞれにも三角形状の連結板２２が連続していて、この連結板２２が前記端部緩衝板２１の両側（緩衝板の連続方向に沿った方向での両側）に折り部を介して連続している。端部緩衝板２１は緩衝体形成部９の上記折り曲げと同時にして両脇となる前記連結板２２の折り起こしを伴いながら折り曲げられるものであり、略コ字状の緩衝体５の両端部で端部緩衝板２１が背面緩衝板１９に対して起きた状態で起立し、連結板２２それぞれは端部緩衝板２１の緩衝体中心側を向く面とは反対側に折り折られた状態でこの端部緩衝板２１の起立状態を維持する。図５参照
【００２８】
（凸部）
符号２３は、図示されているように展開した緩衝体形成部９の形態で上面緩衝板１８から背面緩衝板１９側へ、背面緩衝板１９から上面緩衝板１８側へ、また、背面緩衝板１９から底面緩衝板２０側へ、さらに底面緩衝板２０から背面緩衝板１９側に向けて切り込み形成された凸部であり、上面緩衝板１８と背面緩衝板１９との間の折り部１４の通り線位置、背面緩衝板１９と底面緩衝板２０との間の折り部の通り線位置を基端として凸形状となっている。
【００２９】
（延設緩衝板）
さらにブランク７で示されているように底面緩衝板２０側を折り部１４とし、その折り部１４の端部から背面緩衝板１９の位置を経て上面緩衝板１８の中央部分の領域にかけて略コ字型に切り込み形成され、底面緩衝板２０側の折り部１４側を基端とし、展開した緩衝形成部９の形態での上面緩衝板１８とは反対側に折り曲げることのできる延設緩衝板２４が設けられている。
【００３０】
上記延設緩衝板２４は、展開した緩衝体形成部９の中での形態では、基端側から連結板２５、正面緩衝小板２６、上面緩衝小板２７との順に折り部１４を介して連続しており、この延設緩衝板２４を折り起こしして底面緩衝板２０側を中心として箱胴部形成部１５側とは反対側に折り倒されるとともに各折り部１４で折り曲げられて、上述したブランクにおける巻き折り状の折り曲げによって、正面緩衝小板２６が正面板１３に相対するとともに、上面緩衝小板２７が上面緩衝板１８に相対する。図２参照
【００３１】
また、延設緩衝板２４の各小板２６、２７も、緩衝体５の本体部分（上面緩衝板、背面緩衝板、底面緩衝板）の緩衝板と同様に折り部１４の位置から凸となるように切り込み形成された凸部２３が設けられている。
【００３２】
（分離線）
本実施の例での包装箱１は箱胴部２の一面である上面板１０を引き起こすことで、緩衝体５における上面板１０に対応位置する上面緩衝板１８を分断して、収納物６が取り出し易くなるようにするために、図示されているように上面緩衝板１８に中央分離線２８と傾斜分離線２９とが穿設されている。中央分離線２８は、箱胴部２の正面板１３と上面緩衝板１８との間の折り部１４の中央にしてミシン目を穿設して形成されている。また傾斜分離線２９は、前記中央分離線２８の端部それぞれから背面緩衝板１９側に傾斜して上面緩衝板１８の端部に亘るミシン目を穿設して形成されている。
【００３３】
（組み起こし）
上記構成のブランク７を組み起こすことで、角筒状とした箱胴部２の内側に、上記緩衝体５の本体部分および延設緩衝板２４が折り曲げられた状態に配置され、緩衝体５と延設緩衝板２４とで収納物６を囲むようにして収納している包装箱１が得られるものである。この包装箱１を得るにあたっては、ブランク７における緩衝体形成部９を底面緩衝板２０側から巻き折り状に折り曲げるようにするとともに、背面緩衝板１９の長手方向での端部に位置する端部緩衝板２１をその両側の連結板２２とともに折り起こすようにする。図６参照
【００３４】
また、延設緩衝板２４についても底面緩衝板２０の部分からの折り起こしを行ない、緩衝体５の本体部分を巻き折り状に折り曲げて断面略コ字状とされた部分に収納物６を配置し、前記延設緩衝板２４を前記収納物６に掛けるようにして折り曲げて、緩衝体５の本体部分と延設緩衝体２４とがその収納物６の回りを廻るようにして収納物６を囲んで配置され、さらに収納物６の端部に対しても端部緩衝板２１が接するようにしている。
【００３５】
収納物６と緩衝体５とをともに巻き込むように箱胴部形成部１５の巻き折りを行ない、その巻き折りの終端側である上面板１０と上面緩衝板１８における上記傾斜分離線２９の間（上面緩衝板の長手方向での間）に形成した貼着部３０とを貼着して角筒状の箱胴部２を形成する。また、端部閉鎖部３それぞれにおいては、内フラップ１６を折り倒すとともに、両方の内フラップ１６に重なるようにして正面板１３側の外フラップ１７を折り重ね、前記外フラップ１７に背面板１１側の外フラップ１７を重ね合わせて貼り合わせることで、内部に収納物６を配した横長の角柱状の包装箱１が得られる。
【００３６】
緩衝体５を底面緩衝板２０側から巻き折り状に折り曲げていることから、緩衝板５の折り部１４の位置から各緩衝板１８、１９、２０が有している上記凸部２３が外方に張り出た状態となる。また延設緩衝板２４にあっても、緩衝体５の本体部分とで収納物６を囲むようにして折り曲げられていることから、この延設緩衝板２４の折り部１４の位置から連結板２５、正面緩衝小板２６、上面緩衝小板２７のそれぞれが有している凸部２３も外方に張り出た状態となっている。図２参照
【００３７】
巻き折り状に折り曲げが進められて角柱状の箱胴部２が形成されることで、収納物６を巻いた緩衝体５が各凸部２３が外方に張り出た状態で箱胴部２の内側に配置される。そして、図２に示されているように緩衝体５と延設緩衝板２４とは凸部２３が箱胴部２の内面に当接することでその箱胴部２との間に緩衝用の隙間を形成していて、上面緩衝板１８は対応する上面板１０との間に隙間３１を形成し、背面緩衝板１９は対応する背面板１１との間に隙間３１を形成し、底面緩衝板２０は対応する底面板１２との間に緩衝用の隙間３１を形成している。同様に正面緩衝小板２６は対応する正面板１３との間に緩衝用の隙間３１を、また上面緩衝小板２７は対応する上面板１０との間に緩衝用の隙間３１を形成している。
【００３８】
また上記緩衝体５にあっては端部緩衝板２１の両側で連続する連結板２２が箱本体４の端部閉鎖部３に箱内方から当接する凸部２３となっており、この凸部２３が端部閉鎖部３に当接して端部緩衝板２１が対応する端部閉鎖部３との間にも緩衝用の隙間３１が形成されている。図４、５参照
【００３９】
以上のように包装箱１に収納した収納物６は箱胴部２回りでこの箱胴部２との間に緩衝用の隙間３１を形成した延設緩衝板２４を含む緩衝体５で保持されるとともに、箱胴部２の長手方向においても、端部閉鎖部３との間に緩衝用の隙間３１を形成した緩衝体５の端部緩衝板２１で保持される。
【００４０】
（開封）
収納物６を取り出すためにこの包装箱１を開封する場合には、上面板１０の巻き折りでの最終端部側から引き起こして開くようにすればよい。上述したように上記上面緩衝板１８には正面板１３との間の折り部１４における中央部分に中央分離線２８が設けられているとともに、この中央分離線２８の端部それぞれに上面緩衝板１８の側辺（緩衝体長手方向に相対する位置の辺）の中央部分に達する傾斜分離線２９が設けられている。また、前記中央分離線２８の中央位置は正面板１３側に凸となる円弧状に形成されている。
【００４１】
開封に際して、上記凸の円弧状となっている部分に指先などを押し込んで最初にミシン目を破断して上面板１０を上方に引き上げるようにする。上面板１０とこれに相対する上面緩衝板１８の上記貼着部３０とが貼り合わされているので、上面板１０を引き上げることで中央分離線２８が切れ、これに続いて傾斜分離線２９が切れて、上面緩衝板１８が、前記傾斜分離線２９と正面板１３の上縁位置（正面板と上面緩衝板との間の折り部位置）とで区切られた三角形状の部分を上面緩衝板残存片３２として正面板１３側に残して分離する。即ち、箱本体４と緩衝体５とが分離することとなる。
【００４２】
上面板１０に連接の内フラップ１６は、端部閉鎖部３において背面板１１と正面板１３とに連接の外フラップ１７と、底面板１２に連接の内フラップ１６とには接着しておらず、図示のように上面板１０の引き上げに伴って端部閉鎖部３の部分から引き上げられる。
【００４３】
つぎに延設緩衝板２４の上面緩衝小板２７の自由単側の隅部に形成されているかぎ状の係止片３３を、この延設緩衝板２４を切り起こして背面緩衝板１９に形成された開口縁から外して、緩衝体５の本体部分と前記延設緩衝板２４とによる収納物６に対する保持を解除する。この後、収納物６を上面板１０の引き上げで形成されている開放部分を通して取り出すようにする。
【００４４】
上記かぎ状の係止片３３は、収納物６を中心にしながら緩衝体５を巻き折り状に折り曲げるときに延設緩衝板２４の上面緩衝小板１８を背面緩衝板１９の上記開口縁に係合させるためのものであり、この係止片３３を介した上面緩衝小板１８と背面緩衝板１９との係合によって収納物６を保持するので、巻き折り状の折り曲げが適正に行なえるようになる。図４参照
【００４５】
（開封後の再封）
上面板１０には、図３に示されているように自由端側から箱胴部形成部１５での面板の連続方向に沿った方向にして対の切り込み３４が入れられていて、この切り込み３４それぞれは上面緩衝板１８の傾斜分離線２９に交差する位置にある。そして、前記対の切り込み３４で切り分けられて上面板１０の中央側となる自由端縁の隅部が係止部３５として形成されている。
【００４６】
包装箱１の上面板１０を開いて収納物を取り出したときには上述したように中央分離線２８と傾斜分離線２９との位置が切断され、上面板１０を引き起こして形成した開放部分には傾斜分離線２９の位置を側辺とする三角形状の上面緩衝板残存片３２が対にして張り出た状態となる。図７参照
【００４７】
そして、例えば使用済みの物品を収納物として箱本体４の内部で位置している緩衝体５に収まるようにして入れてから上面板１０を閉じ、さらに係止部３５を箱本体内に向けて押し込んで箱本体４の内側に入るようにすれば、その係止部３５が上面緩衝板残存片３２に係止して、上面板１０の閉鎖状態が維持されることとなり、箱本体４の内側に収納物を入れて再封した包装箱１となる（図８参照）。
【００４８】
なお、上面板１０に連接の内フラップ１６は、外フラップ１７（正面板）の内面側に沿わせておくことで、閉じる上面板１０の動きに伴って端部閉鎖部３の位置に戻るようになり、上面板１０に連接の内フラップ１６が前記外フラップ１７に沿うことで上面板１０の開け閉め動作が安定する。
【００４９】
上記実施の例において、延設緩衝板２４の上面緩衝小板２７を背面板１１側に係合させるための係止片３３をかぎ状にして設けているが、本発明はこの例に限定されるものではない。図９は収納容量を大きくした包装箱の例を、展開したブランク７の状態で示している。
【００５０】
この例のブランク７で示されているように係止片３３を、上面緩衝小板２７の自由端縁側の端部からこの上面緩衝小板の箱胴部の長手方向に相対する側辺の中位置辺りまでの範囲を箱胴部の長手方向に向けて張り出す張出し状に形成し、この張出し状の係止片３３に対応する正面緩衝小板２６の対応箇所が切り欠かれた形状にして係合させ易くしている。
【符号の説明】
【００５１】
１…包装箱
２…箱胴部
３…端部閉鎖部
４…箱本体
５…緩衝体
６…収納物
７…ブランク
８…箱本体形成部
９…緩衝体形成部
１０…上面板
１１…背面板
１２…底面板
１３…正面板
１４…折り部
１５…箱胴部形成部
１８…上面緩衝板
１９…背面緩衝板
２０…底面緩衝板
２１…端部緩衝板
２３…凸部
２４…延設緩衝板
２６…正面緩衝小板
２７…上面緩衝小板
２８…中央分離線
２９…傾斜分離線
３０…貼着部
３１…隙間
３２…上面緩衝板残存片
３３…係止片
３４…切り込み
３５…係止部
【図１】
2016060500.tif 000003
【図２】
2016060500.tif 000004
【図３】
2016060500.tif 000005
【図４】
2016060500.tif 000006
【図５】
2016060500.tif 000007
【図６】
2016060500.tif 000008
【図７】
2016060500.tif 000009
【図８】
2016060500.tif 000010
【図９】
2016060500.tif 000011